(57)【要約】【課題】  プラズマディスプレイ装置において、光学フィルタの電気的接続をより確実にしてＰＤＰからの不要輻射を良好に低減することが可能な技術を提供する。【解決手段】  本発明に係るプラズマディスプレイ装置は、ＰＤＰ(2)からの不要輻射をシールドする電磁シールドを有する光学フィルタ(3)と、光学フィルタ(3)を前面枠体(5)に押圧して固定するための光学フィルタ固定金具(4)とを備える。光学フィルタ固定金具(4)は、その一端が前面枠体(5)に固定され、他端がガスケット(8)を介して光学フィルタ(4)を押圧する板状部材(4a)を含んでいる。前面枠体(5)には突起部(5a)が形成され、これを支点として、該板状部材(4a)の一端を前面枠体５にネジ締めする力(F1)によって板状部材(4a)の他端で光学フィルタ３を押圧する力(F2)を作用させる。これにより光学フィルタ(3)が前面枠体(5)と光学フィルタ固定金具(4)とで挟持される。【選択図】図２
2011154147.tif 000002
【特許請求の範囲】
【請求項１】
プラズマディスプレイ装置において、
プラズマディスプレイパネルと、
前記プラズマディスプレイの前面に配置された導電性を有する電磁シ−ルド部を含む光学フィルタと、
前記光学フィルタの前面と当接される矩形状の前面枠体と、
前記光学フィルタを前記前面枠体側に押圧して固定するための光学フィルタ固定金具と、
前記光学フィルタと前記光学フィルタ固定金具との間に挟持される導電性のガスケットと、
前記プラズマディスプレイパネルの背面を覆うように形成された導電性を有する背面カバーと、を備え、
前記光学フィルタ固定金具は、一端が前記前面枠体に固定され、他端が前記ガスケットを介して前記光学フィルタを押圧する板状部材を含み、前記前面枠体は、前記板状部材の前記一端と前記他端との間と当接する突起部を含み、
前記板状部材の前記一端を前記前面枠体に固定する力を、前記前面枠体の前記突起部を支点とすることにより、前記板状部材の前記他端で前記光学フィルタを押圧する力として作用させるように構成されていることを特徴とするプラズマディスプレイ装置。
【請求項２】
前記板状部材の前記一端がネジ締めにより前記前面枠体に固定され、該ネジ締めによる力を、前記前面枠体の前記突起部を支点とすることにより、前記板状部材の前記他端で前記光学フィルタを押圧する力として作用させるように構成されていることを特徴とする請求項１記載のプラズマディスプレイ装置。
【請求項３】
前記光学フィルタ固定金具の前記板状部材は、ネジを締め込む面と前記光学フィルタを押圧する面が同一板上に存在することを特徴とする請求項２記載のプラズマディスプレイ装置。
【請求項４】
前記光学フィルタ固定金具は、金属で形成されていることを特徴とする請求項１記載のプラズマディスプレイ装置。
【請求項５】
前記前面枠体は、モールドにより形成されていることを特徴とする請求項１記載のプラズマディスプレイ装置。
【請求項６】
前記背面カバーは、導電性を有していることを特徴とする請求項１記載のプラズマディスプレイ装置。
【発明の詳細な説明】
【技術分野】
【０００１】
本発明は、表示デバイスとして、プラズマディスプレイパネルを用いた平面型表示装置であるプラズマディスプレイ装置に関するものである。
【背景技術】
【０００２】
表示デバイスとしてプラズマディスプレイパネル（以下、「ＰＤＰ」と省略する）を用いたプラズマディスプレイ装置では、ＰＤＰから輻射される不要な電磁波（以下、「不要輻射」と称する）が装置の外部に漏洩しないように、ＰＤＰの周囲をシ−ルド（ＥＭＩ（Electromagnetic Interference）対策）することが必要である。
【０００３】
一般に、プラズマディスプレイ装置は、ＰＤＰの背面側のシ−ルドを行うための導電性を有する背面カバーと、ＰＤＰからの映像光を透過させるとともに、ＰＤＰの前面側からの電磁波の漏洩を阻止する導電層（例えば金属メッシュ層）を有する光学フィルタと、該光学フィルタを保持固定するとともに、該光学フィルタの導電層および背面カバーと電気的に接続して光学フィルタ周辺部および側面部からの電磁波の漏洩を阻止する導電性の光学フィルタ固定金具と、を備えている。
【０００４】
即ち、ＰＤＰは導電性を有する背面カバーと、光学フィルタと、光学フィルタ固定手段である光学フィルタ固定金具とで囲まれたシ−ルド筺体内に保持されており、ＰＤＰからの電磁波の不要輻射は、前面は光学フィルタで、側面は光学フィルタ固定金具で、背面は背面カバーで阻止されている。
【０００５】
上記シールド筺体を構成する光学フィルタ固定金具と背面カバーの接続する従来技術としては、例えば特許文献１等に記載のものが知られている。特許文献１は、光学フィルタを、導電性および弾性を有するガスケットを介して内面が階段状に形成された前面枠体と階段状に形成された光学フィルタ固定金具で狭持し、固定金具を前面枠体と導電性背面カバーとの接合部に挟み込み、ネジ締めして接合することにより光学フィルタと光学フィルタ固定金具と背面カバーとを電気的に接続して、ＰＤＰを蔽う前記シールド筐体を形成することを開示している。
【先行技術文献】
【特許文献】
【０００６】
【特許文献１】特開２００１−１４１９７２号公報
【発明の概要】
【発明が解決しようとする課題】
【０００７】
上述のように、プラズマディスプレイ装置においては、ＰＤＰからの不要輻射を阻止するためにＥＭＩ対策をすることが必要であり、そのために、背面カバーと光学フィルタと光学フィルタ固定金具とで囲まれたシールド筐体を構成している。
【０００８】
上記特許文献１では、上記シールド筐体を構成する光学フィルタ固定金具が階段状に複数回曲げられて形成されているため、ネジ止めする面と光学フィルタを押さえつける面が異なっている。よって、特許文献１に記載のものは、階段状の曲げ角度の精度が低い場合は、光学フィルタ固定金具による光学フィルタを押さえつける力が変わるという問題がある。例えば、曲げの角度が小さい場合は光学フィルタを押さえつける力が不足し、光学フィルタ固定金具と光学フィルタの電気的接続が確実に成されない。また、曲げの角度が大きい場合は光学フィルタ固定金具による光学フィルタを押さえつける力が過剰になり、前面枠体が変形し良好な外観を維持することができなくなる。
【０００９】
本発明は、上記の課題に鑑みて為されたものであり、光学フィルタの電気的接続をより確実にしてＰＤＰからの不要輻射を良好に低減することが可能な技術を提供するものである。
【課題を解決するための手段】
【００１０】
本発明のプラズマディスプレイ装置は、ＰＤＰと、前記ＰＤＰの前面に配置された導電性を有する電磁シ−ルド部を含む光学フィルタと、前記光学フィルタの前面と当接される矩形状の前面枠体と、前記光学フィルタを前記前面枠体側に押圧して固定するための光学フィルタ固定金具と、前記光学フィルタと前記光学フィルタ固定金具との間に挟持される導電性のガスケットと、前記ＰＤＰの背面を覆うように形成された導電性を有する背面カバーと、を備え、前記光学フィルタ固定金具は、一端が前記前面枠体に固定され、他端が前記ガスケットを介して前記光学フィルタを押圧する板状部材を含み、前記前面枠体は、前記板状部材の前記一端と前記他端との間と当接する突起部を含み、前記板状部材の前記一端を前記前面枠体に固定する力を、前記前面枠体の前記突起部を支点とすることにより、前記板状部材の前記他端で前記光学フィルタを押圧する力として作用させるように構成されていることを特徴とする。
【００１１】
前記光学フィルタ固定金具の前記板状部材は、ネジを締め込む面と光学フィルタを押圧する面が同一板上に存在している平板形状であるため、従来のような固定金具と比べると、金具の寸法精度が出しやすい。そのため、光学フィルタを押し付ける力の過不足がなくなり、固定金具と光学フィルタの電気的接続が確実に成され、また前面枠体の変形も防止されるので良好な外観を維持することができる。
【発明の効果】
【００１２】
本発明によれば、光学フィルタの電気的接続がより確実となり、ＰＤＰからの不要輻射を良好に低減することが可能になる。
【図面の簡単な説明】
【００１３】
【図１】本発明の一実施例に係るプラズマディスプレイ装置の要部構成を示す分解斜視図。
【図２】本発明の一実施例に係るプラズマディスプレイ装置を示す部分断面図。
【発明を実施するための形態】
【００１４】
以下、本発明を実施するための形態について、図面を用いながら詳細に説明する。なお、説明の都合上、全図において、共通もしくは同様な機能、動作または作用を有する要素には、同一の符号を付けて示し、一度説明した要素については、煩雑さを避けるために重複した説明を省略するものとする。
【００１５】
図１は、本発明の一実施例に係るプラズマディスプレイ装置の要部構成を示す分解斜視図、図２は、本発明の一実施例に係るプラズマディスプレイ装置の要部構成を示す部分断面図で、図１のＡ−Ａ’線に沿った部分断面図である。
【００１６】
まず、図１でプラズマディスプレイ装置の構成概要について説明する。図１において、ＰＤＰ２は、その背面側から導電性を有する例えば金属性の（例えば鉄、アルミ等で構成された）背面カバー１で覆われている。またＰＤＰ２の前面側（視聴者側）にはＰＤＰ２の形状とほぼ相似である矩形状の光学フィルタ３が配置されている。光学フィルタ３は、ＰＤＰからの光のうち所定波長の光（ネオン光）を減衰させるネオンカットシート、遠赤外線を減衰させる遠赤外線カットシート、及び外光の反射を減衰するための円偏光板やブラックストライプシート等を有しており、更には、金属メッシュなどの電磁シールド（導電層）が設けられている。この電磁シールドにより、光学フィルタ３はＰＤＰ２から輻射される不要な電磁波をシールド（遮蔽）する効果を有している。尚、ここでは、電磁シールドは、光学フィルタ３のＰＤＰ２側に形成されているものとする。
【００１７】
光学フィルタ３は前面枠体５と光学フィルタ固定金具４とでその周囲部を狭持され、固定されている。そして、プラズマディスプレイ装置の最前面にはＰＤＰ２からの映像光の透過領域を囲むように上下左右の辺部を有する矩形状の前面枠体５が配置されている。なお、ＰＤＰ２は図示しない支持手段でプラズマディスプレイ装置内に固定されている。
【００１８】
次に、ＰＤＰ２からの電磁波輻射をシールドするシールド筐体の構成について、図２を用いて説明する。
【００１９】
図２で光学フィルタ３は、前面枠体５の内側に配置され、その周縁部を、前面側を前面枠体５に当接させ、背面側を光学フィルタ固定金具４により押圧されて、前面枠体５に固定される。光学フィルタ固定金具４は、図示されるように、光学フィルタ３の面とほぼ平行な平板状の板状部材４ａを含んでおり、この板状部材４ａの一端は、ネジ７により前面枠体５にネジ締め固定される。一方、板状部材４ａの他端は、弾性を有する導電性ガスケット８を介して光学フィルタ３を押圧している。また、前面枠体５には、図示されるように、前記板状部材４ａの一端と他端との間の部分と当接する第１の突起形状５aと、ネジ締めされる前記板状部材４ａの一端部と当接する第２の突起形状５ｂとが形成されている。ここで、第１の突起形状５ａは、第２の突起形状５ｂよりも紙面下方向（つまり光学フィルタ３側に）突出している。
【００２０】
かかる構成において、板状部材４ａの一端を前面枠体５にネジ７で締め込んで固定すると、図示されるように、当該ネジ締めにより生じる力として板状部材４ａの一端が紙面上方に上がる力Ｆ１が生じ、前面枠体５の第１の突起形状５aが支点となって、板状部材４ａの他端において光学フィルタ３を前面枠体５側に押圧する力Ｆ２（すなわち紙面下方への力）が作用する。これにより、板状部材４ａは、光学フィルタ３を、弾性を有する導電性ガスケット８を介して押圧し前面枠体５とともに光学フィルタ３を狭持する。
【００２１】
また、光学フィルタ固定金具４の板状部材４ａの一端（ネジ締めされる方の端部）は、前面枠体５の第２の突起形状５ｂにより制限され、支点にしている第１の突起形状５aの高さを変えることで、光学フィルタ３を押圧する力Ｆ２を調節できる。これにより、光学フィルタ３を押圧する力を最適化することが可能となるので、固定金具と光学フィルタの電気的接続が確実になり、前面枠体の良好な外観を維持することができる。
【００２２】
更にまた、弾性を有する導電性ガスケット８の反発力を変更した場合、光学フィルタ固定金具４の形状を変更することなく、突起形状５aの高さを変更することで光学フィルタ８を押圧する力を調節することができる。
【００２３】
光学フィルタ固定金具４は、導電性ガスケット８を介して光学フィルタ３を押圧し、これにより光学フィルタ３（の導電層）と電気的に接続されている。また、光学フィルタ３とＰＤＰ２との間にはエアフィルタ６が配設されており、埃等が入り込まないようにされている。またＰＤＰ２を背面側から覆う背面カバー１は、金属などの導電体で構成されており、その周縁部の平坦部で光学フィルタ固定金具４とともに前面枠体５に例えば図示しないネジで固定されている。
【００２４】
これにより、光学フィルタ３と、光学フィルタ固定金具４と、背面カバー１とは電気的に接続されており、ＰＤＰ２からの輻射される電磁波をシールドするシールド筐体とすることができる。
【００２５】
すなわち、ＰＤＰ２からの不要輻射の外部への漏洩は、前面では光学フィルタ３で、光学フィルタ３周辺部およびＰＤＰ２の側面方向では光学フィルタ固定金具４で、背面では背面カバー１で抑止されている。勿論、背面カバー１はＰＤＰ２の側面も部分的に覆っているので、ＰＤＰ２の側面方向からの電磁波の漏洩を低減している。
【００２６】
以上説明したように本実施例は、ＰＤＰ２と、ＰＤＰ２の前面に配置された導電性を有する電磁シ−ルド部を含む光学フィルタ３と、光学フィルタの前面と当接される矩形状の前面枠体と、前記光学フィルタを前記前面枠体側に押圧して固定するための光学フィルタ固定金具４と、前記光学フィルタと前記光学フィルタ固定金具との間に挟持される導電性のガスケット８と、ＰＤＰ８の背面を覆うように形成された導電性を有する背面カバー１とを備えており、光学フィルタ固定金具４は、一端が前面枠体５に固定され、他端がガスケット８を介して光学フィルタ４を押圧する板状部材４ａを含み、前面枠体５は、板状部材４ａの一端と他端との間と当接する突起部５ａを含み、板状部材４ａの一端を前面枠体５に固定するための力を、前面枠体５の突起部５ａを支点とすることにより、板状部材４ａの他端で光学フィルタ３を押圧する力として作用させるように構成されていることを特徴とする。
【００２７】
これにより、本実施例では、簡易な構成で光学フィルタ８を押し付ける力を最適にすることができ、固定金具と光学フィルタの電気的接続をより確実にして不要輻射の漏洩を好適の防止することができる。また、前面枠体５の良好な外観を維持することもできる。
【符号の説明】
【００２８】
１…背面カバー、２…ＰＤＰ、３…光学フィルタ、４…光学フィルタ固定金具、５…前面枠体、５ａ…第１の突起形状、５ｂ…第２の突起形状、６…エアフィルタ、７…ネジ、８…導電性ガスケット
【図１】
2011154147.tif 000003
【図２】
2011154147.tif 000004